(57)【特許請求の範囲】
【請求項１】
腹側部材と、背側部材と、前記両部材の中央部に架け渡されて接合される股部材と、
前記腹側部材及び前記背側部材の胴回り方向の両端部が接合されることにより、前記腹側部材及び前記背側部材の両上端縁に囲まれて形成される腰開口部、及び、前記腹側部材と前記背側部材と前記股部材とに囲まれて形成される左右の脚開口部と、
前記腹側部材及び前記背側部材の各胴回り方向に延在する弾性体と、
少なくとも前記腹側部材の前記左右の脚開口部に延在する第１脚周り弾性体と、
少なくとも前記背側部材の前記左右の脚開口部に延在する第２脚周り弾性体とを備え、
前記腹側部材の股側端縁は、胴回り方向に略平行な両端ラインと、前記両端ラインから前記中央部へ向かうに従って前記腰開口部側へ上昇する一対の傾斜ラインと、前記両傾斜ライン間をつなぐ中央ラインとを含み、
前記背側部材の股側端縁は、胴周り方向に略平行な両端ラインと、前記両端ラインから前記中央部へ向かうに従って前記腰開口部と反対側へ下降する一対の傾斜ラインと、前記両傾斜ライン間をつなぐ中央ラインとを含み、
前記第１脚周り弾性体は、前記腹側部材内で前記両端ラインに沿って配置される両端部と、前記両端部から中央へ向かうに従って前記腹側部材の前記腰開口部側へ上昇しながら、前記腹側部材の股側端縁から次第に離れて、前記腹側部材の前記股部材と重なる領域内まで延在するように配置される一対の傾斜部と、前記両傾斜部間をつなぐ中央部とを含み、
前記第２脚周り弾性体は、前記背側部材内で前記両端ラインに沿って配置される両端部と、前記両端部から中央へ向かうに従って前記背側部材の前記腰開口部と反対側へ下降するように配置される一対の傾斜部と、前記両傾斜部間をつなぐ中央部とを含むことを特徴とする、使い捨てパンツ型下着。
【請求項２】
前記第１脚周り弾性体の前記一対の傾斜部が、前記腹側部材の胴回り方向に延在する弾性体と交差することを特徴とする、請求項１に記載の使い捨てパンツ型下着。
【請求項３】
前記第２脚周り弾性体の前記一対の傾斜部が、前記背側部材の股側端縁と交差する方向に下降することを特徴とする、請求項１又は２に記載の使い捨てパンツ型下着。
【請求項４】
前記股部材の内部又は外部に吸収体が装着され、
前記腹側部材及び前記背側部材における前記股部材に装着される前記吸収体と重なる各領域に配置される前記各弾性体の少なくとも一部は、その弾性力が発現されないように加工されていることを特徴とする、請求項１から３のいずれかに記載の使い捨てパンツ型下着。
【請求項５】
腹側部材及び背側部材の両中央部に股部材が架け渡されて接合され、前記腹側部材及び前記背側部材の胴回り方向の両端部が接合され、前記腹側部材及び前記背側部材の両上端縁に囲まれる腰開口部が形成され、前記腹側部材と前記背側部材と前記股部材とに囲まれる左右の脚開口部が形成される、使い捨てパンツ型下着の製造方法であって、
ウェブ状の内面シートと、ウェブ状の外面シートとの間に、前記腹側部材及び前記背側部材の共通する股側端縁がウェブ流れ方向に周期的に連続する裁断予定線によって分けられる前記腹側部材の連続体及び前記背側部材の連続体となる各領域にウェブ流れ方向に沿って延在する弾性体と、前記裁断予定線と同じ周期でウェブ流れ方向に連続する第１脚周り弾性体及び第２脚回り弾性体とが、接合される構造を含む、ウェブ状の積層体を形成する工程と、
前記積層体を前記裁断予定線に沿って裁断して、前記腹側部材の連続体と前記背側部材の連続体とに切り分ける工程と、
前記腹側部材の連続体と前記背側部材の連続体とをウェブ幅方向に離間させて、前記股部材を前記腹側部材及び前記背側部材の両中央部に架け渡すように配置して接合する工程と、
前記股部材を接合された前記両連続体を、前記内面シートが内側となるように折り曲げて、１周期毎にウェブ流れ方向に直交する両端部で接合し、１周期毎に切断してパンツ型下着を形成する工程とを含んでおり、
各周期の前記裁断予定線は、ウェブ流れ方向に平行な両端ラインと、前記両端ラインから中央へ向かって前記腹側部材側へ傾斜する一対の傾斜ラインと、前記両傾斜ライン間をつなぐ中央ラインとを含み、
各周期の前記第１脚周り弾性体は、前記腹側部材となる領域内で前記裁断予定線の両端ラインに沿って配置される両端部と、前記両端部から中央へ向かって前記腹側部材側へ傾斜しながら、前記腹側部材の股側端縁から次第に離れて、前記腹側部材の前記股部材と重なる領域内にまで延在するように配置される一対の傾斜部と、前記両傾斜部間をつなぐ中央部とを含み、
各周期の前記第２脚周り弾性体は、前記背側部材となる領域内で前記裁断予定線の両端ラインに沿って配置される両端部と、前記両端部から中央へ向かって前記腹側部材側へ傾斜するように配置される一対の傾斜部と、前記両傾斜部間をつなぐ中央部とを含むことを特徴とする、使い捨てパンツ型下着の製造方法。
【請求項６】
前記ウェブ状の積層体を形成する工程において、各周期の前記第２脚周り弾性体の一部が、前記裁断予定線を越えて前記腹側部材の前記股部材と重なる領域内にまで延在するように配置され、
前記積層体を前記裁断予定線に沿って裁断する工程において、前記第２脚周り弾性体部材の一部が前記裁断予定線で裁断されることを特徴とする、請求項５に記載の使い捨てパンツ型下着の製造方法。
【発明の詳細な説明】
【技術分野】
【０００１】
本発明は、パンツ型のおむつやパンツ型のパッドホルダー等の使い捨てパンツ型下着及びその製造方法に関するものである。
【背景技術】
【０００２】
従来のパンツ型のおむつやパッドホルダーは、連続的に製造する過程において、外装体を形成する帯状の原反から一部を除去することにより、着用者の脚を挿入する脚開口部用の貫通孔や切り欠きが形成されていた（例えば、特許文献１参照）。
また、矩形状の腹側部材と矩形状の背側部材とをクロッチ部材が繋ぐように配置されて形成されるパンツ型のおむつやパッドホルダーも知られている（例えば、特許文献２）。
【先行技術文献】
【特許文献】
【０００３】
【特許文献１】特開２００９−１１８９８６号公報
【特許文献２】特開２０１１−７８６４６号公報
【発明の概要】
【発明が解決しようとする課題】
【０００４】
しかし、特許文献１の使い捨てパンツ型おむつは、腹側部材の脚開口部からウエスト開口部までの距離が長いため、着用者、特に手足の不自由な着用者は、脚開口部に脚を入れにくく、着用しにくいという問題があった。
また、特許文献２のように、矩形状の腹側部材及び背側部材で形成したパンツ型下着は、着用者の身体へのフィット性が低く、排泄物等が漏れやすくなったり、着用時の不快感に繋がったりするという問題があった。
更に、特許文献１のように、パンツ型おむつの外装体の原反から一部を除去することにより脚開口部用の貫通孔等を形成する方法は、資材のロスが大きく、生産コストの増加や廃棄物の発生を招くという問題があった。
【０００５】
本発明の目的は、容易に着用することができ、着用者の身体へのフィット性が高い使い捨てパンツ型下着を提供すること、及び、かかる使い捨てパンツ型下着を、資材のロスを抑制して製造することができる製造方法を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
本発明の使い捨てパンツ型下着（１０，３０）は、腹側部材（１１）と、背側部材（１２）と、前記両部材（１１，１２）の中央部に架け渡されて接合される股部材（１３，３３）と、前記腹側部材（１１）及び前記背側部材（１２）の胴回り方向の両端部（１６，１６）が接合されることにより、前記腹側部材（１１）及び前記背側部材（１２）の両上端縁に囲まれて形成される腰開口部（１４）、及び、前記腹側部材（１１）と前記背側部材（１２）と前記股部材（１３，３３）とに囲まれて形成される左右の脚開口部（１５，１５）と、前記腹側部材（１１）及び前記背側部材（１２）の各胴周り方向に延在する弾性体（１０３ａ，１０３ｂ）と、少なくとも前記腹側部材（１１）の両脚開口部（１５，１５）に延在する第１脚周り弾性体（１０３ｃ，２０３ｃ，４０３ｃ）と、少なくとも前記背側部材（１２）の両脚開口部（１５，１５）に延在する第２脚周り弾性体（１０３ｄ，２０３ｄ，４０３ｄ）とを備え、前記腹側部材の股側端縁（１１ａ）は、胴周り方向に略水平な両端ライン（１１ｂ，１１ｂ）と、前記両端ラインから中央部へ向かうに従って前記腰開口部（１４ａ）側へ上昇する一対の傾斜ライン（１１ｃ，１１ｃ）と、前記両傾斜ライン間をつなぐ中央ライン（１１ｄ）とを含み、前記背側部材の股側端縁（１２ａ）は、胴周り方向に略平行な両端ライン（１２ｂ，１２ｂ）と、前記両端ラインから中央部へ向かうに従って前記腰開口部（１４ｂ）と反対側へ下降する一対の傾斜ライン（１２ｃ，１２ｃ）と、前記両傾斜ライン間をつなぐ中央ライン（１２ｄ）とを含み、前記第１脚周り弾性体（１０３ｃ，２０３ｃ，４０３ｃ）は、前記腹側部材（１１）内で前記両端ライン（１１ｂ，１１ｂ）に沿って配置される両端部と、前記両端部から中央へ向かうに従って前記腹側部材（１１）の前記腰開口部（１４ａ）側へ上昇するように配置される一対の傾斜部と、前記両傾斜部間をつなぐ中央部とを含み、前記第２脚周り弾性体（１０３ｄ，２０３ｄ，４０３ｄ）は、前記背側部材（１２）内で前記両端ライン（１２ｂ，１２ｂ）に沿って配置される両端部と、前記両端部から中央へ向かうに従って前記背側部材（１２）の前記腰開口部（１４ｂ）と反対側へ下降するように配置される一対の傾斜部と、前記両傾斜部間をつなぐ中央部とを含むことを特徴とする。
本発明の好ましい使い捨てパンツ型下着（２０，４０）は、前記第１脚周り弾性体（２０３ｃ，４０３ｃ）の前記一対の傾斜部が、前記両端部から中央へ向かうに従って前記腹側部材（１１）の前記腰開口部（１４ａ）側へ上昇しながら、前記腹側部材の股側端縁（１１ａ）から次第に離れて、前記腹側部材（１１）の前記股部材（１３）と重なる領域内まで延在するように配置されることを特徴とする。
本発明の好ましい使い捨てパンツ型下着（２０，４０）は、前記第１脚周り弾性体（２０３ｃ，４０３ｃ）の前記一対の傾斜部が、前記腹側部材（１１）の胴周り方向に延在する弾性体（１０３ｂ）と交差することを特徴とする。
本発明の好ましい使い捨てパンツ型下着（２０，４０）は、前記第２脚周り弾性体（２０３ｄ，４０３ｄ）の前記一対の傾斜部が、前記背側部材の股側端縁（１２ａ）と交差する方向に下降することを特徴とする。
本発明の好ましい使い捨てパンツ型下着（２０，４０）は、前記股部材（１３）の内部又は外部に吸収体（１３３）が装着され、前記腹側部材（１１）及び前記背側部材（１２）における前記股部材（１３）に装着される前記吸収体（１３３）と重なる各領域に配置される前記各弾性体（１０３ｂ，２０３ｃ，２０３ｄ，４０３ｃ，４０３ｄ）の少なくとも一部は、その弾性力が発現されないように加工されていることを特徴とする。
【０００７】
本発明の使い捨てパンツ型下着（１０，２０，３０，４０）の製造方法は、腹側部材（１１）及び背側部材（１２）の両中央部に股部材（１３，３３）が架け渡されて接合され、前記腹側部材（１１）及び前記背側部材（１２）の胴回り方向の両端部（１６，１６）が接合され、前記腹側部材（１１）及び前記背側部材（１２）の両上端縁に囲まれて腰開口部（１４）が形成され、前記腹側部材（１１）と前記背側部材（１２）と前記股部材（１３，３３）とに囲まれて左右の脚開口部（１５，１５）が形成される、使い捨てパンツ型下着の製造方法であって、ウェブ状の内面シート（１０１）と、ウェブ状の外面シート（１０２）との間に、前記腹側部材（１１）及び前記背側部材（１２）の共通する股側端縁（１１ａ，１２ａ）がウェブ流れ方向に周期的に連続する裁断予定線（Ｃ）によって分けられる前記腹側部材（１１）の連続体及び前記背側部材（１２）の連続体となる各領域にウェブ流れ方向に沿って延在する弾性体（１０３ａ，１０３ｂ）と、前記裁断予定線（Ｃ）と同じ周期でウェブ流れ方向に連続する第１脚周り弾性体（１０３ｃ，２０３ｃ，４０３ｃ）及び第２脚回り弾性体（１０３ｄ，２０３ｄ，４０３ｄ）とが、接合される構造を含む、ウェブ状の積層体（１００Ａ）を形成する工程と、前記積層体（１００Ａ）を前記裁断予定線（Ｃ）に沿って裁断して、前記腹側部材（１１）の連続体と前記背側部材（１２）の連続体とに切り分ける工程と、前記腹側部材（１１）の連続体と前記背側部材（１２）の連続体とをウェブ幅方向に離間させて、前記股部材（１３，３３）を前記腹側部材（１１）及び前記背側部材（１２）の両中央部に架け渡すように配置して接合する工程と、前記股部材（１３，３３）を接合された前記両連続体（１００Ｂ）を、前記内面シート（１０１）が内側となるように折り曲げて、１周期毎にウェブ流れ方向に直交する両端部（１６，１６）で接合し、１周期毎に切断してパンツ型下着（１０，２０，３０，４０）を形成する工程とを含んでおり、各周期の前記裁断予定線（Ｃ）は、ウェブ流れ方向に平行な両端ラインと、前記両端ラインから中央へ向かって前記腹側部材（１１）側へ傾斜する一対の傾斜ラインと、前記両傾斜ライン間をつなぐ中央ラインとを含み、各周期の前記第１脚周り弾性体（１０３ｃ，２０３ｃ，４０３ｃ）は、前記腹側部材（１１）となる領域内で前記裁断予定線（Ｃ）の両端ラインに沿って配置される両端部と、前記両端部から中央へ向かって前記腹側部材（１１）側へ傾斜するように配置される一対の傾斜部と、前記両傾斜部間をつなぐ中央部とを含み、各周期の前記第２脚周り弾性体（１０３ｄ，２０３ｄ，４０３ｄ）は、前記背側部材（１２）となる領域内で前記裁断予定線（Ｃ）の両端ラインに沿って配置される両端部と、前記両端部から中央へ向かって前記腹側部材（１１）側へ傾斜するように配置される一対の傾斜部と、前記両傾斜部間をつなぐ中央部とを含むことを特徴とする。
本発明の好ましい使い捨てパンツ型下着の製造方法は、前記ウェブ状の積層体（１００Ａ）を形成する工程において、各周期の前記第１脚周り弾性体（２０３ｃ、４０３ｃ）の前記一対の傾斜部が、前記両端部から中央へ向かって前記腹側部材（１１）側へ傾斜しながら、前記腹側部材の股側端縁（１１ａ）から次第に離れて、前記腹側部材（１１）の前記股部材（１３）と重なる領域内にまで延在するように配置されることを特徴とする。
本発明の好ましい使い捨てパンツ型下着の製造方法は、前記ウェブ状の積層体（１００Ａ）を形成する工程において、各周期の前記第２脚周り弾性体（２０３ｄ、４０３ｄ）の一部が、前記裁断予定線（Ｃ）を越えて前記腹側部材（１１）の前記股部材（１３）と重なる領域内にまで延在するように配置され、前記積層体（１００Ａ）を前記裁断予定線（Ｃ）に沿って裁断する工程において、前記第２脚周り弾性体部材（２０３ｄ、４０３ｄ）の一部が前記裁断予定線（Ｃ）で裁断されることを特徴とする。
本発明の好ましい使い捨てパンツ型下着の製造方法は、前記腹側部材（１１）及び前記背側部材（１２）において、前記股部材（１３，３３）の内部又は外部に装着される吸収体（１３３）を重ねられる各領域に配置される前記各弾性体（１０３ｂ、１０３ｃ、１０３ｄ、２０３ｃ、２０３ｄ、４０３ｃ、４０３ｄ）の少なくとも一部に、その弾性力が発現されないように加工する工程を更に含むことを特徴とする。
【発明の効果】
【０００８】
本発明によれば、容易に着用することができ、身体へのフィット性が高く、資材のロスを抑えられる使い捨てパンツ型下着及びその製造方法を提供することができる。
【図面の簡単な説明】
【０００９】
【図１】第１実施形態のパンツ型おむつ１０を示す図である。
【図２】第１実施形態のパンツ型おむつ１０を平面状に展開した図である。
【図３】第１実施形態のパンツ型おむつ１０の第１脚周り弾性体１０３ｃ，第２脚周り弾性体１０３ｄ及び裁断予定線Ｃを説明する図である。
【図４】第１実施形態の股部材である吸収部材１３の断面を拡大して示した図である。
【図５】第１実施形態のパンツ型おむつ１０の製造方法を説明する図である。
【図６】比較例１のパンツ型おむつ５０を説明する図である。
【図７】比較例２のパンツ型おむつ６０を説明する図である。
【図８】第２実施形態のパンツ型おむつ２０を示す図である。
【図９】第２実施形態のパンツ型おむつ２０を平面状に展開した図である。
【図１０】第２実施形態のパンツ型おむつ２０の第１脚周り弾性体２０３ｃ，第２脚周り弾性体２０３ｄ及び裁断予定線Ｃを説明する図である。
【図１１】第３実施形態のパンツ型パッドホルダー３０を平面状に展開した図である。
【図１２】第４実施形態のパンツ型おむつ４０を示す図である。
【図１３】第４実施形態のパンツ型おむつ４０を平面状に展開した図である。
【図１４】第４実施形態のパンツ型おむつ４０の第１脚周り弾性体４０３ｃ，第２脚周り弾性体４０３ｄ及び裁断予定線Ｃを説明する図である。
【図１５】変形形態の股部材である吸収部材１３の形状を説明する図である。
【発明を実施するための形態】
【００１０】
添付の図面を参照して、本発明の使い捨てパンツ型下着及びその製造方法の実施形態について説明する。図１を含め、以下に示す各図は、模式的に示した図であり、各部の大きさ、形状は、理解を容易にするために、適宜誇張している。
本明細書中に記載する各部材の寸法等の数値及び材料名等は、実施形態としての一例であり、これに限定されるものではなく、適宜選択して使用してよい。
【００１１】
（第１実施形態）
本発明の使い捨てパンツ型下着の第１実施形態として、パンツ型おむつ１０を説明する。
図１は、第１実施形態のパンツ型おむつ１０を示す図である。
図２は、第１実施形態のパンツ型おむつ１０を平面状に展開した図である。
図３は、第１実施形態のパンツ型おむつ１０の第１脚周り弾性体１０３ｃ，第２脚周り弾性体１０３ｄ及び裁断予定線Ｃを説明する図である。
理解を容易にするために、図１〜図３及び以下に示す各図においては、いずれも、後述する弾性体１０３が伸長された状態（収縮力を発現していない状態）で示されている。また、図２及び以下に示す各図おいて、理解を容易にするために、適宜、展開されたパンツ型おむつの幅方向（着用者の胴回り方向、左右方向）をＸ軸とし、前後方向をＹ軸とし、厚み方向をＺ軸とするＸＹＺ座標が用いられている。このＸ軸は、Ｘ１側が着用者の左側、Ｘ２側が着用者の右側、Ｙ軸は、Ｙ１側が着用者の後側（背側）、Ｙ２側が着用者の前側（腹側）、Ｚ軸は、Ｚ１側が外側（着用者の衣類側）、Ｚ２側が内側（着用者の肌側）となる。
【００１２】
図１に示すように、パンツ型おむつ１０は、着用時に着用者の腹側に位置する腹側部材１１と、背側に位置する背側部材１２と、これらを繋ぐように股部分に前後に渡されたクロッチ部材（股部材）である吸収部材１３とを備え、ウエスト開口部（腰開口部）１４、左右の脚開口部１５，１５、左右のサイドシール部１６，１６等が形成される。
図２に示すように、腹側部材１１は、略矩形状における背側部材１２側（Ｙ１側）の辺（股側端縁）１１ａの幅方向（胴回り方向、Ｘ方向）の中央が略台形形状に切り欠かれた平面形状を有している。
図２に示すように、背側部材１２は、略矩形状における腹側部材１１側（Ｙ２側）の辺（股側端縁）１２ａの幅方向（胴周り方向、Ｘ方向）の中央が略台形形状に突出した平面形状を有している。
【００１３】
腹側部材１１は、内側（肌側）に位置する内面シート１０１と、外側（着用時に着用者の衣類側）に位置する外面シート１０２と、この２枚の間に適宜配置された弾性体１０３（１０３ａ，１０３ｂ，１０３ｃ）とを有している。
図１に示すように、腹側部材１１は、胴回り方向の中央部が凹状に形成されており、吸収部材１３の左右端部と重なる位置の近傍において、脚開口部１５からウエスト開口部１４までの距離（上下長）が最も短くなるように形成されている。ここで、腹側部材１１は、吸収部材１３の左右端部と重なる位置における脚開口部１５及びウエスト開口部１４間の距離（上下長）が、サイドシール部１６の長さ（上下長）の５０〜８０％の長さに形成されていることが好ましい。これにより、パンツ型おむつ１０は、着用する場合に脚開口部１５に脚を入れやすくすることができ、また、ウエスト開口部１４をつかんで腰まで引き上げることができ、容易に着用することができる。また、半身に麻痺等が残るような手足の不自由な着用者が着用する場合においても、脚開口部１５に指をかけて引き上げることによって、パンツ型おむつ１０を腰まで引き上げることができ、容易に着用することができる。
図２に示すように、背側部材１２は、腹側部材１１と同様に、内側（肌側）に位置する内面シート１０１と、外側（衣類側）に位置する外面シート１０２と、この２枚の間に適宜配置された弾性体１０３（１０３ａ，１０３ｂ，１０３ｄ）とを有している。
【００１４】
内面シート１０１及び外面シート１０２は、不織布製のシート状の部材である。内面シート１０１及び外面シート１０２は、これに限らず、樹脂フィルムやティシュ、伸縮材又はそれらの積層体、又はそれらを適宜つなぎ合わせ、一枚のシートとして使用してもよい。
内面シート１０１と外面シート１０２との間に設けられる弾性体１０３は、糸状の部材であり、伸長状態で内面シート１０１及び外面シート１０２に接合され、固定されている。このような弾性体１０３としては、天然ゴム、ポリウレタン系樹脂、伸縮性ホットメルト等の伸縮可能な材料により形成されている。また、弾性体１０３は、糸状に限らず、帯状、シート状の部材等を用いてもよい。
【００１５】
この腹側部材１１及び背側部材１２は、後述するように、内面シート１０１及び外面シート１０２、弾性体１０３が積層された積層体を、図３に示す裁断予定線Ｃに沿って裁断して形成される。
裁断予定線Ｃは、腹側部材１１の股側端縁１１ａ及び背側部材１２の股側端縁１２ｂを共通に形成するものであって、Ｘ方向（胴周り方向、幅方向）にわたって形成されており、Ｘ方向の両端部（１１ｂ，１１ｂ，１２ｂ，１２ｂ）からＸ方向中央部（１１ｄ，１２ｄ）側へは、腹側部材１１側へと斜めに形成された一対の傾斜部（１１ｃ，１１ｃ，１２ｃ，１２ｃ）を有し、Ｘ方向中央部（１１ｄ，１２ｄ）ではＸ方向に平行に形成されている。なお、裁断予定線ＣのＸ方向中央部（１１ｄ，１２ｄ）は、例えば、腹側（Ｙ２側）に凸となるような曲線等を有していてもよいし、背側（Ｙ１側）に凸となるような曲線等を有していてもよく、特に限定されない。
裁断予定線Ｃによって形成される腹側部材１１の股側端縁１１ａの中央部（１１ｄ）の幅（Ｘ方向に平行な部分の寸法）は、吸収部材１３の腹側部材１１側のＸ方向の寸法に略等しい。また、この裁断予定線Ｃによって形成される背側部材１２の股側端縁１２ａの中央部（１２ｄ）の幅（Ｘ方向に平行な部分の寸法）は、吸収部材１３の背側部材１２側のＸ方向の寸法に略等しい。なお、これに限らず、腹側部材１１の股側端縁１１ａの中央部（１１ｄ）の幅及び背側部材１２の股側端縁１２ａの中央部（１２ｄ）の幅は、吸収部材１３のＸ方向の幅よりも小さくてもよいし、大きくてもよい。
【００１６】
図２に示すパンツ型おむつ１０のＹ方向両端部となる腹側部材１１のＹ２側端部（ウエスト開口部１４ａ）、及び背側部材１２のＹ１側端部（ウエスト開口部１４ｂ）には、内面シート１０１と外面シート１０２との間に、Ｘ方向（胴周り方向、幅方向）に延在する複数の糸状の弾性体１０３ａが、Ｙ方向に並列かつ等間隔に配設されている。これにより、パンツ型おむつ１０のウエスト開口部１４（１４ａ，１４ｂ）の周囲にウエストギャザー部１７（図１参照）が形成されている。
このウエストギャザー部１７は、着用者のウエスト部分の肌に適度に密着し、このパンツ型おむつ１０のずり下がりや、排泄物等のウエスト開口部１４からの漏洩を防止する機能を有する。
なお、弾性体１０３ａが配列されるＹ方向の間隔は、等間隔でなくてもよい。
【００１７】
また、腹側部材１１の弾性体１０３ａよりもＹ１側（股側）であって後述する第１脚周り弾性体１０３ｃよりもＹ２側（ウエスト側）の領域には、内面シート１０１と外面シート１０２との間に、Ｘ方向（胴周り方向、幅方向）に延在する複数の糸状の弾性体１０３ｂが、Ｙ方向に並列かつ等間隔に配設されている。この弾性体１０３ｂは、背側部材１２の弾性体１０３ａよりもＹ２側（股側）であって後述する第２脚回り弾性体１０３ｄよりもＹ１側（ウエスト側）の領域にも、同様に、内面シート１０１と外面シート１０２との間に配設されている。これにより、胴周りギャザー部１８が形成され、パンツ型おむつ１０が着用者の肌に密着し、かつ、吸収部材１３の保形性を維持する機能を有し、パンツ型おむつ１０の着用者の身体へのフィット性と排泄物の漏洩防止効果を高めている。
なお、本実施形態では、複数の弾性体１０３ｂが配列されるＹ方向の間隔は、等間隔である例を示しているが、これに限らず、着用者の胴周りへの密着性の向上や外観性の向上等を鑑み、Ｙ方向の配列間隔を適宜調整してよく、等間隔でなくてもよい。例えば、Ｙ方向に沿って、弾性体１０３ｂのＹ方向の配列間隔が、着用者の股側に向かうにつれて次第に広くなっていてもよいし、Ｙ方向の配列間隔が狭い領域と広い領域とが形成されている等してもよい。
【００１８】
図１に示すように、パンツ型おむつ１０において、着用者の脚を挿入する左右２つの脚開口部１５，１５の周縁となる部分には、レッグギャザー部１９が形成されている。
このレッグギャザー部１９は、例えば、平面ギャザーであり、図２に示すように、腹側部材１１の股側端縁１１ａ及び背側部材１２の股側端縁１２ａに沿って、それぞれ、複数の糸状の第１脚回り弾性体１０３ｃ，第２脚回り弾性体１０３ｄを敷設して形成されている。レッグギャザー部１９は、パンツ型おむつ１０の脚開口部１５からの排泄物等の漏れ（所謂、横漏れ）を防止する機能を有している。
複数の糸状の第１脚周り弾性体１０３ｃ，第２脚周り弾性体１０３ｄは、図３に示すように、腹側部材１１と背側部材１２との間に位置する裁断予定線Ｃに沿って、互いに略平行に延在しており、Ｙ方向に並列かつ等間隔に配列されている。
【００１９】
サイドシール部１６は、図１に示すように、腹側部材１１及び背側部材１２のＸ方向（胴回り方向、幅方向）両端部を接合した部分である。この左右のサイドシール部１６，１６が形成されることにより、パンツ型が形成される。
サイドシール部１６は、接着剤（ホットメルト接着剤）等により形成してもよいし、熱シール、超音波シール等の各種シール方法で形成してもよい。
【００２０】
図４は、本実施形態の股部材である吸収部材１３の断面を拡大して示した図である。図４（ａ）は、本実施形態の吸収部材の例の断面図であり、図４（ｂ）は、本実施形態の吸収部材の他の例の断面図である。図４では、図２のＡ−Ａ’断面における断面図を示している。
吸収部材１３は、腹側部材１１及び背側部材１２のＸ方向（胴周り方向、幅方向）の中央に位置し、腹側部材１１及び背側部材１２を繋ぐように股部分にＹ方向（前後方向）に架け渡されたクロッチ部材（股部材）である。
吸収部材１３は、略矩形状の部材であり、着用者の肌側（Ｚ２側）となる表面シート１３１と、衣類側（Ｚ１側）となる裏面シート１３２と、その間に配置される吸収体１３３と、ギャザーシート１３４と、股部弾性体１３５と、外側シート１３６とを備えている。
図２に示すように、吸収部材１３の長手方向は、Ｙ方向（前後方向）であり、短手方向は、Ｘ方向（左右方向、幅方向）である。
【００２１】
表面シート１３１は、例えば、不織布等の液透過性材料により形成されたシート状等の部材により形成されており、装着時に着用者の肌側に位置し、尿や血液等を吸収部材１３の内部に透過させる機能を有する。
裏面シート１３２は、例えば、ポリエチレンフィルム等の樹脂製の液不透過性材料により形成されたシート状、フィルム状の部材により形成されており、装着時に外側（衣類側）に位置し、吸収体１３３が吸収した尿や血液等が吸収部材１３の外部に漏出することを防止する機能を有する。
吸収体１３３は、吸収紙、綿状パルプ、吸収性を有する粒子状や繊維状の高分子吸収材等の吸収性材料が組み合わされて形成されており、表面シート１３１を透過した尿や血液等を吸収し、その内部に保持する機能を有する。
ギャザーシート１３４は、吸収部材１３に立体ギャザーを形成するシート部材である。ギャザーシート１３４は、図４（ａ）に示すように、２つ設けられており、そのそれぞれが、吸収部材１３の左端部、右端部に接合される。ギャザーシート１３４は、例えば、不織布や、不織布にポリエチレンフィルム等を貼り合せた材料から構成されており、吸収体１３３で吸収しきれなかった液状体が股部から漏出してしまうのを防ぐ。
ギャザーシート１３４は、図２及び図４（ａ）に示すように、左右の脚開口部１５，１５側のそれぞれの端縁を折り返した内側に、吸収体１３３に沿うようにして弾性体１０３ｅ，１０３ｅが配置されている。
弾性体１０３ｅは、各ギャザーシート１３４に複数本（本実施形態では３本）設けられており、それぞれが、ギャザーシート１３４の折り返された部分の内側に、伸長した状態で接合されている。これにより、パンツ型おむつ１０の股部に対応する位置には、立体ギャザーが形成されることとなり、パンツ型おむつ１０の股部から排泄物や尿などの液状体が漏出してしまうことを防ぐことができる。
また、ギャザーシート１３４は、裏面シート１３２との接合部に、股部弾性体１３５が配置されている。
股部弾性体１３５は、吸収体１３３の左右両端に沿うようにして配置された弾性部材である。股部弾性体１３５は、ギャザーシート１３４と裏面シート１３２との間に伸張した状態で接合されている。
股部弾性体１３５は、パンツ型おむつ１０に排泄物が吸収されて吸収体の重量が増加しても、この弾性体の張力により吸収部材１３の左右端部が股間に押し付けられ、股間との間に間隙が生じてしまうのを防ぐことができる。また、股部弾性体１３５は、着用者の鼠径部に沿って定位するので、吸収部材１３が縒れたり、弛んだりすることなく着用者の股間部に当接し、極めて良好なフィット性と防漏性を実現することができる。
なお、本実施形態では股部弾性体１３５は、吸収部材１３の幅方向の左右端のそれぞれに直線状に１本ずつ配置した例を示したが、複数本ずつ配置するようにしてもよいし、曲線状に配置してもよい。
弾性体１０３ｅ及び股部弾性体１３５は、上述の弾性体１０３ａ等と同様に、天然ゴム、ポリウレタン樹脂、伸縮性のホットメルト等の伸縮可能な糸状の材料により形成されている。また、これら弾性体は、糸状の部材だけでなく、帯状やシート状の部材等を使用することも可能である。また、ギャザー部全体を伸縮性のシートなどの素材で形成してもよい。この場合、図示した弾性体の延在する方向に伸縮力が働くように形成する必要がある。
外側シート１３６は、裏面シート１３２及びギャザーシート１３４の接合部の境界を覆うシート部材である。
外側シート１３６の外側（衣類側）には、外観や肌ざわりを考慮して、外面シート１０２やギャザーシート１３４と同じ不織布等の素材を用いてもよい。外側シート１３６の外側は、パンツ型おむつ１０の股下部分における最外層に位置するため、外面シート１０２と同様の不織布を用いることによって、パンツ型おむつの外観や肌ざわりを統一することができる。なお、外側シート１３６は、吸収部材１３に設けずに、裏面シート１３２を股下部分の最外層のシートとしてもよい。
吸収部材１３は、上述の形態に限定されるものでなく、例えば、図４（ｂ）に示すように、ギャザーシート１３４が裏面シート１３２の外側（吸収体１３３とは反対側）の全面を覆うようにしてもよい。この場合、吸収部材１３には、外側シートを設ける必要がなくなり、吸収部材１３の製造コストを低減させたり、外側シートを接合する工程を省略したりすることができる。
【００２２】
図２に示すように、補助シート９は、吸収部材１３のＹ方向の端部を覆うシート状の部材であり、吸収部材１３のＹ方向の端部が、着用者の肌に直接接触するのを防ぐ。補助シート９は、不織布等のシート状部材から構成されている。
【００２３】
次に、本実施形態のパンツ型おむつ１０の製造方法について説明する。
図５は、第１実施形態のパンツ型おむつ１０の製造方法を説明する図である。
図５（ａ）に示すように、まず、内面シート１０１及び外面シート１０２を形成するウェブ状の不織布の間に、各弾性体１０３（１０３ａ，１０３ｂ，１０３ｃ，１０３ｄ）を配設し、ウェブ状の積層体１００Ａを形成する（積層ウェブ形成工程）。このとき、糸状の各弾性体１０３の表面に接着剤等が塗布されていてもよいし、スプレーコート等により、内面シート１０１及び外面シート１０２の弾性体１０３側となる接合面に接着剤（ホットメルト接着剤等）が塗布されていてもよい。また、糸状の各弾性体１０３は、それぞれ、必要となる収縮力の大きさに応じて伸長された状態で、内面シート１０１及び外面シート１０２に接合される。
このとき、第１脚周り弾性体１０３ｃ及び第２脚周り弾性体１０３ｄは、ウェブ状の積層体１００Ａの流れ方向（Ｘ２方向）において、パンツ型おむつ１０の幅方向（胴周り方向）の寸法を１周期として周期的に配設されている。
【００２４】
次に、図５（ｂ）に示すように、ウェブ状の積層体１００Ａを、腹側部材１１及び背側部材１２の共通の股側端縁１１ａ，１２ｂが流れ方向に周期的に連続する裁断予定線Ｃに沿って流れ方向に裁断し、流れ方向に沿って腹側部材１１が幅方向（胴回り方向、Ｘ方向）に連続した腹側部材１１の連続体と、流れ方向に沿って背側部材１２が幅方向（胴回り方向、Ｘ方向）に連続した背側部材１２の連続体とに切り分ける（裁断工程）。このとき、裁断予定線Ｃは、ウェブ状の積層体１００Ａの流れ方向において、パンツ型おむつ１０の幅方向（胴回り方向）の寸法を１周期として周期的に形成されている。この際、裁断予定線Ｃの一部に０．５ｍｍ〜２ｍｍ幅程度の非切断部を適宜設け、裁断後、ウェブ状部材を所定距離に離間させるまでの間に各部材が浮き上がることを防止しても良い。
次に、図５（ｃ）に示すように、Ｙ方向（ウェブ状の積層体１００Ａにおける幅方向、ＭＤ方向）において、腹側部材１１と背側部材１２との間に、パンツ型を形成するために必要な所定の距離をあける。そして、ホットメルト等の接着剤によって、股部材である吸収部材１３の長手方向の一方の端部を腹側部材１１に、他方の端部を背側部材１２に接合する。このとき、吸収部材１３は、腹側部材１１及び背側部材１２の内面シート１０１と、吸収部材１３の裏面シート１３２、外側シート１３６、ギャザーシート１３４のうちいずれかのシートとが、積層される形で接合される（股部材接合工程）。これにより、展開された状態のパンツ型おむつが流れ方向に連続する連続体１００Ｂが形成される。
【００２５】
次に、腹側部材１１及び背側部材１２の内面シート１０１側が内側となるように、連続体１００Ｂを折り曲げ、サイドシール部１６を熱シール、超音波シール、接着剤（ホットメルト）等により、接合する。
そして、サイドシール部１６に沿って連続体１００Ｂを切断し、図５（ｄ）に示すように、パンツ型おむつ１０が形成される（パンツ型下着形成工程）。上記裁断によって、弾性体１０３ａ〜１０３ｄは、収縮力が発現し、各ギャザー部等が形成される。
なお、これらの工程の途中や後工程において、不要部分の除去や裁断、クロッチ部材の接合を容易にするために、弾性体の収縮力が不要な領域等において収縮力を発現させないための弾性体の分断等加工等を、適宜行ってもよい。
【００２６】
図６は、比較例１のパンツ型おむつ５０を説明する図である。
図７は、比較例２のパンツ型おむつ６０を説明する図である。
理解を容易にするために、図６，図７は、製造過程における比較例１，２のパンツ型おむつ５０，６０の様子を示している。
図６，図７に示す比較例１，２のパンツ型おむつ５０，６０は、いずれも、従来のパンツ型おむつである。なお、前述の本実施形態のパンツ型おむつ１０と同様の機能を果たす部分に関しては、同一の符号又は末尾に同一の符号を付し、重複する説明や吸収体等は省略して説明する。
【００２７】
図６に示すように、比較例１のパンツ型おむつ５０では、着用者の脚を挿入する脚開口部の周囲に弾性体５０３ｃ，５０３ｄが配設されており、脚開口部となる部分を、内面シート１０１及び外面シート１０２、弾性体１０３等が積層された積層体５００Ａから刳り抜いて形成している。従って、積層体５００Ａから刳り抜かれて除去される領域（所謂、トリム。図６に示す領域５５Ａ）が生じ、資材のロスが大きく、生産コストの増加に繋がる。
また、図６に示す比較例１のパンツ型おむつ５０では、上述のように脚開口部を刳り抜いて形成するため、ウェブ状の積層体５００Ａの幅方向の寸法が十分に必要になる（例えば大人用では７０ｃｍ〜１００ｃｍ程度）。従って、内面シート１０１及び外面シート１０２の使用量が大きく、生産コストの増加を招く。
さらに、吸収部材１３の下側（Ｚ１側）には、内面シート１０１、外面シート１０２等が存在している。しかし、この部分の内面シート１０１及び外面シート１０２は、吸収部材１３の裏面シート１３２が十分な液不透過性を有しているのであれば、実質的には不要であり、これも資源のロスや生産コストの増加に繋がる。
【００２８】
一方、図７に示す比較例２のパンツ型おむつ６０では、内面シート１０１及び外面シート１０２、弾性体１０３等が積層されたウェブ状の積層体６００Ａを、Ｘ方向（積層体６００Ａの流れ方向）に平行な直線に沿って裁断して、腹側部材６１及び背側部材６２を形成しており、腹側部材６１及び背側部材６２が矩形状となっている。また、レッグギャザー部を形成する弾性体６０３ｃ，６０３ｄも流れ方向に平行に形成されている。
この比較例２のパンツ型おむつ６０では、腹側部材６１と背側部材６２との間に十分な距離をあけて吸収部材１３を接合している。そのため、ウェブ状の積層体６００Ａの幅方向の寸法が比較例１に比べて小さくても、パンツ型おむつとしてのＹ方向の寸法を十分に確保できる。従って、比較例２のパンツ型おむつ６０では、比較例１のような資源のロスや生産コストの増加を抑えることができる。
【００２９】
しかし、この比較例２のパンツ型おむつ６０では、腹側部材６１及び背側部材６２が同じ大きさの矩形状である。一般的に、背側部材６２の方が臀部等を被覆するため面積が必要であり、また、着用者の腰や脚周りの形状は複雑であるため、比較例２のパンツ型おむつ６０では、着用者の身体へのフィット性が低く、排泄物等が漏れやすくなったり、吸収部材１３や背側部材６２等が捩れる等して着用時の不快感を招いたりする。
【００３０】
これに対して、本実施形態のパンツ型おむつ１０によれば、図３及び図５（ｂ）に示すように、腹側部材１１及び背側部材１２の共通の股側端縁１１ａ，１２ａが周期的に連続する裁断予定線Ｃが、パンツ型おむつ１０の幅方向（胴周り方向、Ｘ方向）の中央部で腹側部材１１側（Ｙ２側）に凸となる形状を有しており、レッグギャザー部１９を形成する第１脚周り弾性体１０３ｃ，第２脚周り弾性体１０３ｄは、この裁断予定線Ｃに沿って形成されているので、背側部材１２の面積を十分確保でき、かつ、着用者の身体へのフィット性を高め、良好な着用感を提供できる。
また、本実施形態のパンツ型おむつ１０では、腹側部材１１の胴回り方向の中央部が凹状になり、脚開口部１５からウエスト開口部１４までの距離が短くなるので、着用する場合に脚開口部１５に脚を入れやすくすることができ、また、ウエスト開口部１４をつかんで腰まで引き上げることができ、容易に着用することができる。また、半身に麻痺等が残るような手足の不自由な着用者が着用する場合においても、脚開口部１５の最もウエスト開口部までの距離が短い部分に指をかけて引き上げることによって、吸収部材１３とウエスト部とを同時に引き上げることができるため、パンツ型おむつ１０を腰まで引き上げて容易に着用することができる。
また、本実施形態のパンツ型おむつ１０では、腹側部材１１と背側部材１２とは、１つのウェブ状の積層体１００Ａを裁断して形成され、これらの間に所定の距離をあけて吸収部材１３を接合している。従って、このパンツ型おむつ１０では、ウェブ状の積層体１００Ａの幅方向の寸法を比較例１に比べて小さくしても、パンツ型おむつ１０としてのＹ方向（前後方向）の寸法を十分に確保できる。従って、本実施形態のパンツ型おむつ１０によれば、ウェブ状の積層体１００Ａの幅方向の寸法を比較例１に比べて十分に（例えば、比較例１の積層体５００Ａの半分程度に）小さくでき、脚開口部として刳り抜かれる領域もなく、前述のような資源のロスや生産コストの増加を抑えることができる。
【００３１】
また、本実施形態のパンツ型おむつ１０によれば、図１に示すように、左右の脚開口部１５，１５は、腹側の股側端縁１１ａにおいて、股間側（１１ｄ）からサイド側（１１ｂ）にかけて下側（着用者の足側）へ傾斜（１１ｃ）しており、背側の股側端縁１２ａにおいて、サイド側（１２ｂ）から股間側（１２ｄ）にかけて下側（着用者の足側）へ傾斜（１２ｃ）しているので、着用者の脚周りをしめつけず、フィット性が高い。さらに、前側の開口が広くなるため脚入れの動作時に、つま先がひっかかることがなく脚開口部１５に脚入れしやすい。
上述のように、本実施形態によれば、手足が不自由な着用者でも容易に着用することができ、着用者の身体へのフィット性が高く良好な着用感を得ることができ、少ない資材で生産することができ、生産コストを抑えられる使い捨てパンツ型下着であるパンツ型おむつ１０を提供することができる。
【００３２】
（第２実施形態）
図８は、第２実施形態のパンツ型おむつ２０を示す図である。
図９は、第２実施形態のパンツ型おむつ２０を平面状に展開した図である。
図１０は、第２実施形態のパンツ型おむつ２０の第１脚周り弾性体２０３ｃ，第２脚周り弾性体２０３ｄ及び裁断予定線Ｃを説明する図である。
本発明の使い捨てパンツ型下着の第２実施形態であるパンツ型おむつ２０は、レッグギャザー部２９を形成する複数の糸状の第１脚周り弾性体２０３ｃ，第２脚周り弾性体２０３ｄが配設される形状が前述の第１実施形態とは異なる点以外は、前述の第１実施形態のパンツ型おむつ１０と同様の形態である。従って、前述した第１実施形態と同様の機能を果たす部分には、同一の符号又は末尾に同一の符号を付して、重複する説明を適宜省略する。
第２実施形態のパンツ型おむつ２０は、腹側部材１１、背側部材１２、股部材である吸収部材１３を備え、ウエスト開口部１４、左右の脚開口部１５，１５、左右のサイドシール部１６，１６等が形成されている。また、このパンツ型おむつ２０は、ウエストギャザー部１７、胴周りギャザー部１８、レッグギャザー部２９等が形成されている。
【００３３】
このパンツ型おむつ２０では、図８から図１０に示すように、レッグギャザー部２９を形成する複数の糸状の第１脚周り弾性体２０３ｃ及び第２脚周り弾性体２０３ｄは、互いに略平行に延在しており、Ｘ方向（胴周り方向、幅方向）の両端部では、裁断予定線Ｃを挟んで平行に位置しているが、中央部では裁断予定線Ｃよりも腹側部材１１側（Ｙ２側）に位置した形状となっている。即ち、背側部材１２側に配設された第２脚周り弾性体２０３ｄは、一部が裁断予定線Ｃを越えて腹側部材１１側に位置している。そのため、裁断工程において、第２脚周り弾性体２０３ｄは、裁断され、一部が腹側部材１１の幅方向中央部分に残る形態となる。
なお、本実施形態の裁断予定線Ｃは、前述の第１実施形態の裁断予定線Ｃに同じである。
【００３４】
第１脚周り弾性体２０３ｃ及び第２脚周り弾性体２０３ｄをこのような形状に配設することにより、第２実施形態のパンツ型おむつ２０は、図８〜図１０に示すように、腹側部材１１及び背側部材１２ともに、左右の脚開口部１５，１５の周縁に設けられる第１脚周り弾性体２０３ｃ，第２脚周り弾性体２０３ｄが斜め上側（着用者のウエスト側）へ延在する部分の寸法が、第１実施形態のパンツ型おむつ１０（図３参照）よりも長くなっている。
なお、本実施形態のパンツ型おむつ２０は、第１脚周り弾性体２０３ｃ，第２脚周り弾性体２０３ｄを配設する形状が異なる以外は、前述の第１実施形態のパンツ型おむつ１０と略同様の製造方法によって製造可能である。
【００３５】
第１脚周り弾性体２０３ｃ，第２脚周り弾性体２０３ｄが上述のような形状に配設されることにより、左右の脚開口部１５，１５の周縁に設けられる第１脚周り弾性体２０３ｃ，第２脚周り弾性体２０３ｄが斜め上側（着用者のウエスト側）へ延在する部分の寸法が長くなるので、腹側では腹側中央部を引き上げると両サイド部分を腹側中央部へ引き上げる効果が高い。したがって着用者が脚開口部１５に脚を挿入した際、片手で腹側中央部を引き上げるだけでパンツ型おむつ２０全体を引き上げる作業が容易に行える。従って、本実施形態のパンツ型おむつ２０によれば、例えば、半身に麻痺等が残る着用者であっても、パンツ型おむつ２０を一人で容易に装着することができる。
また、本実施形態によれば、第２脚周り弾性体２０３ｄの一部が、腹側部材１１の幅方向中央部近辺において、斜め上側（着用者のウエスト側）へ傾斜して配列されているので、レッグギャザー部を形成する弾性体として機能し、着用者の脚周りへの密着性が向上し、尿等の漏れを防止できる。
なお、腹側部材１１の幅方向中央部においてＸ方向に平行に延在する第２脚周り弾性体２０３ｄに関しては、吸収部材１３に生じるシワの抑制や、外観性、腹部への肌触り向上等の観点から、その収縮力が発現しないように細かく切断する等の加工を行ってもよい。
また、本実施形態によれば、前述の第１実施形態と同様に、手足が不自由な着用者でも容易に着用することができ、着用者の身体へのフィット性が高く良好な着用感を得ることができ、少ない資材で生産することができ、生産コストを抑えられる使い捨てパンツ型下着であるパンツ型おむつ２０を提供することができる。
【００３６】
（第３実施形態）
図１１は、第３実施形態のパンツ型パッドホルダー３０を平面状に展開した図である。
本発明の使い捨てパンツ型下着の第３実施形態であるパンツ型パッドホルダー３０は、吸収部材１３に替えてクロッチ部材（股部材）３３を備えている点が前述の第１実施形態とは異なる以外は、第１実施形態のパンツ型おむつ１０と略同様の形態である。従って、前述した第１実施形態と同様の機能を果たす部分には、同一の符号又は末尾に同一の符号を付して、重複する説明を適宜省略する。
本実施形態のパンツ型パッドホルダー３０は、腹側部材１１、背側部材１２、クロッチ部材（股部材）３３を備え、着用者のウエスト部分に形成されるウエストギャザー部等を有している。このパンツ型パッドホルダー３０は、クロッチ部材３３の上（肌側）に、汎用の矩形状等の吸収性物品（所謂、パッド）を配置可能であり、クロッチ部材３３上に吸収性物品を配置して使用する使い捨て可能なパンツ型の下着である。
【００３７】
クロッチ部材３３は、腹側部材１１等と同様に、内面シート１０１及び外面シート１０２が積層されて形成されている。
なお、これに限らず、クロッチ部材３３は、前述の吸収部材１３と同様に、表面シート１３１及び裏面シート１３２が積層されて形成された形態としてもよい。また、クロッチ部材３３は、内面シート１０１及び外面シート１０２（又は表面シート１３１及び裏面シート１３２）の間に、例えば、前述の吸収部材１３の吸収体１３３より弱い吸収性を有する不図示の吸収体等を有する形態としてもよい。さらに、クロッチ部材３３は、その短手方向（Ｘ方向、胴周り方向）の両端部に、長手方向（Ｙ方向）に延在するように配設された複数の糸状の弾性体等により、立体ギャザー部、平面ギャザー部等が形成されていてもよい。
なお、このパンツ型パッドホルダー３０は、吸収部材１３をクロッチ部材３３に替えている以外は、前述の第１実施形態のパンツ型おむつ１０と略同様の製造方法によって製造可能である。
【００３８】
本実施形態によれば、手足が不自由な着用者でも容易に着用することができ、着用者の身体へのフィット性が高く良好な着用感を得ることができ、少ない資材で生産することができ、生産コストを抑えられる使い捨てパンツ型下着であるパンツ型パッドホルダー３０を提供できる。
なお、このパンツ型パッドホルダー３０は、前述の第２実施形態のパンツ型おむつ２０の吸収部材１３をクロッチ部材３３としたものとしてもよい。このような形態のパンツ型パッドホルダー３０とすることにより、生産コストの抑制及び身体へのフィット性の向上等に加えて、着用者が脚開口部１５に脚を挿入しやすく、かつ、パンツ型パッドホルダー３０を引き上げる作業を着用者が片手でも容易に行うことができる。
【００３９】
（第４実施形態）
図１２は、第４実施形態のパンツ型おむつ４０を示す図である。
図１３は、第４実施形態のパンツ型おむつ４０を平面状に展開した図である。
図１４は、第４実施形態のパンツ型おむつ４０の第１脚周り弾性体４０３ｃ，第２脚周り弾性体４０３ｄ及び裁断予定線Ｃを説明する図である。
本発明の使い捨てパンツ型下着の第４実施形態であるパンツ型おむつ４０は、レッグギャザー部４９を形成する複数の糸状の第１脚周り弾性体４０３ｃ，第２脚周り弾性体４０３ｄが配設される形状が前述の第１実施形態とは異なる点、複数の糸状の第２脚周り弾性体４０３ｄのうち一部は裁断されない点が異なる以外は、前述の第１実施形態のパンツ型おむつ１０と同様の形態である。従って、前述した第１実施形態と同様の機能を果たす部分には、同一の符号又は末尾に同一の符号を付して、重複する説明を適宜省略する。
第４実施形態のパンツ型おむつ４０は、腹側部材１１、背側部材１２、股部材である吸収部材１３を備え、ウエスト開口部１４、左右の脚開口部１５，１５、左右のサイドシール部１６，１６等が形成されている。また、このパンツ型おむつ４０は、ウエストギャザー部１７、胴周りギャザー部１８、レッグギャザー部４９等が形成されている。
【００４０】
このパンツ型おむつ４０では、図１２に示すように、レッグギャザー部４９を形成する複数の糸状の第１脚周り弾性体４０３ｃ，第２脚周り弾性体４０３ｄは、Ｘ方向（胴周り方向、幅方向）両端部では、互いに略平行に延在しているが、Ｘ方向（胴周り方向、幅方向）中央部では、平行ではなく、第２脚周り弾性体４０３ｄが腹側部材１１側（ウエスト開口部１４側）に凸となる曲線状に配列されている。また、図１４に示すように、第２脚周り弾性体４０３ｄは、Ｘ方向（胴回り方向、幅方向）中央部では、Ｙ方向に配列された複数の糸状の弾性体の一部が裁断予定線Ｃよりも腹側部材１１側（Ｙ２側）に位置し、一部が背側部材１２側（Ｙ１側）に位置する形状となっている。即ち、第２脚周り弾性体４０３ｄは、裁断工程において、一部が裁断されて腹側部材１１側に位置し、一部が裁断されず背側部材１２側に位置する形態となっている。
本実施形態の裁断予定線Ｃは、前述の第１実施形態の裁断予定線Ｃに同じである。
【００４１】
パンツ型おむつ４０は、図１３等に示すように、腹側部材１１において裁断予定線Ｃと第１脚周り弾性体４０３ｃとの間の領域に位置する弾性体１０３ｂ，第２脚周り弾性体４０３ｄや、背側部材１２において、Ｘ方向（胴周り方向）中央部に位置する第２脚周り弾性体４０３ｄは、その収縮力が発現しないように加工されている。ここで、背側部材１２に位置する第２脚周り弾性体４０３ｄは、股部材である吸収部材１３と重なる部位においては、吸収部材１３の左右両端部近傍を除いて収縮力が発現しないように加工されている。
これは、吸収部材１３に生じるシワの抑制や、外観性、腹部への肌触り向上等を図るためである。なお、弾性体の収縮力を発現させなくする加工としては、例えば、多数の凸部やカッター刃等による弾性体の切断や、熱シール等、適宜選択して行ってよい。
本実施形態のパンツ型おむつ４０は、第１脚周り弾性体４０３ｃ，第２脚周り弾性体４０３ｄを配設する形状等が異なる以外は、前述の第１実施形態のパンツ型おむつ１０と略同様の製造方法によって製造可能である。
【００４２】
第１脚周り弾性体４０３ｃ，第２脚周り弾性体４０３ｄをこのような形状に配設することにより、第４実施形態のパンツ型おむつ４０は、図１２〜図１４に示すように、腹側部材１１及び背側部材１２ともに、左右の脚開口部１５，１５の周縁に設けられる第１脚周り弾性体４０３ｃ，第２脚周り弾性体４０３ｄが斜め上側（着用者のウエスト側）へ延在する部分の寸法が、第１実施形態のパンツ型おむつ１０（図３参照）よりも長くなっている。
従って、第１脚周り弾性体４０３ｃ，第２脚周り弾性体４０３ｄにより、腹側では腹側中央部を引き上げると両サイド部分を腹側中央部へ引き上げる高い効果が得られ、着用者が脚開口部１５に脚を挿入した際、片手で腹側中央部を引き上げるだけでパンツ型おむつ４０全体を引き上げる作業が容易に行える。よって、本実施形態によれば、半身に麻痺等が残る着用者であっても、パンツ型おむつ４０を一人で容易に装着することができる。
【００４３】
また、本実施形態によれば、背側部材１２及び吸収部材１３が重なる部位における吸収部材１３の左右両端部近傍を除いた部位の第２脚周り弾性体４０３ｄは、切断等され収縮力が発現しない状態で背側部材１２側に位置するので、裁断予定線Ｃで腹側部材１１及び背側部材１２が裁断された場合に、背側部材１２の吸収部材１３と接合される部位（背側部材１２の凸形状の部位）が第２脚周り弾性体４０３ｄの収縮力によって丸まってしまったり、シワができてしまったりするのを抑制することができる。
また、本実施形態によれば、前述の第１実施形態と同様に、手足が不自由な着用者でも容易に着用することができ、着用者の身体へのフィット性が高く良好な着用感を得ることができ、少ない資材で生産することができ、生産コストを抑えられる使い捨てパンツ型下着であるパンツ型おむつ４０を提供することができる。
【００４４】
（変形形態）
以上説明した各実施形態に限定されることなく、種々の変形や変更が可能であって、それらも本発明の範囲内である。
（１）内面シート１０１や外面シート１０２、表面シート１３１、裏面シート１３２、吸収体１３３等は、上述したもの以外の材質や形状のものを用いてもよい。
【００４５】
（２）パンツ型おむつ１０，２０及びパンツ型パッドホルダー３０は、上述した立体ギャザー部、平面ギャザー部、ウエストギャザー部等の漏洩を防止する機構を必ずしも備えている必要はなく、そのうちのいくつか又は全てを有していなくてもよいし、或いはそれ以外の漏洩を防止する機構を備えていてもよい。
【００４６】
（３）吸収部材１３及びクロッチ部材３３は、矩形状である例を示したが、これに限らず、他の形態としてもよい。
図１５は、変形形態の吸収部材１３（クロッチ部材３３）の形状を説明する図である。図１５（ａ）は、パンツ型おむつを平面状に展開した図であり、図１５（ｂ）は、パンツ型おむつの腹側から見た図である。なお、図１５では、理解を容易にするために、弾性体等は省略して示している。
例えば、図１５に示すように短手方向（左右方向、幅方向、Ｘ方向）両端部が、着用者の股間幅等に合わせて、曲線状等に切り欠かれた形態としてもよい。また、長手方向の中央部分の幅が小さく形成された、所謂、砂時計形状としてもよい。この場合、吸収部材１３（クロッチ部材３３）を曲線状や砂時計形状に切欠いた後に腹側部材、背側部材に貼り合せても良いし、また、矩形の吸収部材を腹側部材、背側部材に貼り合せた後に不要部分を切除して曲線状や砂時計形状に切り欠くようにしても良い。矩形の吸収部材を腹側部材、背側部材に貼り合せた後に不要部分を切除する場合、吸収部材の胴周り方向（短手方向、Ｘ方向）の両端部を曲線状に切り欠くとともに、切り欠かれた吸収部材の曲線形状と連続した曲線を描くようにして、腹側部材及び背側部材の一部を切り欠いて、脚開口部を形成する切り欠き工程を設けるようにしてもよい。このように吸収部材と腹側部材及び背側部材とを同時に切り欠くことで、より下着らしい曲線形状を実現し、着用者の身体へのフィット感を向上させるとともに、切り欠きによって廃棄される資材の発生を最小限に抑えることができる。
さらに、適宜、立体ギャザー部や平面ギャザー部を設けて、尿等の漏れを防止する機能を高めてもよい。なお、吸収部材１３等の内部に設けられる吸収体の形状に関しても、適宜変更してよい。
【００４７】
なお、各実施形態及び変形形態は、適宜組み合わせて用いることもできるが、詳細な説明は省略する。また、本発明は、以上説明した各実施形態等によって限定されることはない。
【符号の説明】
【００４８】
１０，２０，４０    パンツ型おむつ
３０    パッドホルダー
１１    腹側部材
１２    背側部材
１１ａ，１２ａ  股側端縁
１１ｂ，１２ｂ  両端ライン
１１ｃ，１２ｃ  傾斜ライン
１１ｄ，１２ｄ  中央ライン
１３    吸収部材（股部材）
１４（１４ａ，１４ｂ）    ウエスト開口部（腰開口部）
１５    脚開口部
１６    サイドシール部
１７    ウエストギャザー部
１８    胴回りギャザー部
１９    レッグギャザー部
３３    クロッチ部材（股部材）
１００Ａ  積層体
１００Ｂ  連続体
１０１    内面シート
１０２    外面シート
１０３ａ，１０３ｂ  弾性体
１０３ｃ，２０３ｃ，４０３ｃ  第１脚周り弾性体
１０３ｄ，２０３ｃ，４０３ｄ  第２脚周り弾性体
１３３    吸収体
Ｃ    裁断予定線
【要約】
着用が容易で、着用者の身体へのフィット性が高く、少ない資材で生産することができる使い捨てパンツ型下着及びその製造方法を提供する。
使い捨てパンツ型下着１０の製造方法は、ウェブ状の内面シート１０１と外面シート１０２との間に各弾性体１０３を接合した積層体１００Ａを形成する工程と、腹側部材１１及び背側部材１２に共通する股側端縁１１ａ，１２ａがウェブ流れ方向に周期的に連続する裁断予定線Ｃに沿って積層体１００Ａを裁断する工程と、各周期の腹側部材１１及び背側部材１２の両中央部に股部材１３を架け渡して接合する工程と、股部材１３を接合された連続体１００Ｂを折り曲げ、１周期毎にウェブ流れ方向に直交する両端部１６，１６で接合して、切断する工程とを備え、各周期の裁断予定線Ｃは、ウェブ流れ方向に平行な両端ライン１１ｂ，１１ｂ，１２ｂ，１２ｂと、両端ラインから中央に向かって腹側部材１１側へ傾斜する一対の傾斜ライン１１ｃ，１１，１２ｃ，１２ｃと、両傾斜ライン間をつなぐ中央ライン１１ｄ，１２ｄとを含み、各周期の第１脚周り弾性体１０３ｃは、腹側部材１１となる領域内で裁断予定線Ｃの各両端ライン１１ｂ，１１ｂに沿って配置される両端部と、両端部間で腹側部材１１側へ傾斜するように配置される一対の傾斜部と、両傾斜部間をつなぐ中央部とを含み、各周期の第２脚周り弾性体１０３ｄは、背側部材１２となる領域内で裁断予定線Ｃの各両端ライン１２ｂ，１２ｂに沿って配置される両端部と、両端部から腹側部材１１側へ傾斜するように配置される一対の傾斜部と、両傾斜部間をつなぐ中央部とを含むことを特徴とする。【図１】
0005784264.tif 000002
【図２】
0005784264.tif 000003
【図３】
0005784264.tif 000004
【図４】
0005784264.tif 000005
【図５】
0005784264.tif 000006
【図６】
0005784264.tif 000007
【図７】
0005784264.tif 000008
【図８】
0005784264.tif 000009
【図９】
0005784264.tif 000010
【図１０】
0005784264.tif 000011
【図１１】
0005784264.tif 000012
【図１２】
0005784264.tif 000013
【図１３】
0005784264.tif 000014
【図１４】
0005784264.tif 000015
【図１５】
0005784264.tif 000016